(57)【特許請求の範囲】
【請求項１】
底面から立ち上がる側面の上端縁にフランジ部を有するとともに、前記側面の上部に段部を形成した容器本体と、前記段部上に係合される係合片を有して、前記容器本体内に全体が収納される中容器と、前記容器本体のフランジ部の外端に係合される係合部を有した蓋体と、からなる包装用容器であって、
前記容器本体の底面に、これからそれぞれ独立して盛り上がる複数の上げ底部とするとともに、前記中容器の底面周縁に沿って下方に膨出した膨出脚部とを備えて、
前記中容器の膨出脚部が、容器本体の前記各上げ底部の何れかの外側面に当接し得るようにし、
複数の前記上げ底部は、前記中容器の中心線に対して線対称位置に形成され、
複数の前記上げ底部の上面に、前記容器本体内に収納された中容器の底面が当接すると共に、当該中容器の底面と、前記上げ底部と、前記容器本体の底面とで囲まれた隙間が形成されることを特徴とする包装用容器。
【請求項２】
前記中容器の膨出脚部の内側に、前記容器本体側の上げ底部の何れかの外側面に当接し得る膨出突起を備えたことを特徴とする請求項１に記載の包装用容器。
【請求項３】
前記容器本体のフランジ部の一部を下方に湾曲させて臨み窓を備えて、当該容器本体内に前記中容器を収納したとき、前記臨み窓から当該中容器の一部が外方に臨み得るようにしたことを特徴とする請求項１または請求項２に記載の包装用容器。
【発明の詳細な説明】
【技術分野】
【０００１】
本発明は、主として食品を収納する包装用容器に関し、特に、容器本体と、この容器本体内に収納される中容器と、この中容器を覆う蓋体とからなる包装用容器に関するものである。
【背景技術】
【０００２】
容器本体と、この容器本体内に収納される中容器と、この中容器を覆う蓋体とからなる包装用容器は、一般的には「３点式容器」と称したり、容器本体と中容器からなる「二重容器」と称されているが、包装すべき食品を、容器本体と中容器とで区別しながら包装できるものであり、各食品を区画できるというメリットのために種々な使い方がなされる。また、この種の「３点式容器」は、使い捨て容器とできるように、合成樹脂シートから製造されることが多く、容器本体と中容器とが不用意にずれたり分離しないように何らかの手段でずれ止め固定するのが一般的であり、その固定方法としては、例えば後述する特許文献３のように、容器本体の口縁に中容器を係止する方法等が提案されている。
【０００３】
出願人も、特許文献１等において、目的に応じた「３点式容器」（中容器を有する包装用容器）を種々提案してきており、また、特許文献２や特許文献３にも、種々な目的に応じた「３点式容器」が提案されている。
【先行技術文献】
【特許文献】
【０００４】
【特許文献１】特開２００９−１０７７２５号公報  、要約
【特許文献２】実用新案登録第３０３１８４１号公報
【特許文献３】実用新案登録第３０５２８９３号公報
【発明の概要】
【発明が解決しようとする課題】
【０００５】
出願人が特許文献１で提案している「中容器を有する包装用容器」は、「作り立ての収納物自体から滴り出した油や液汁が再び収納物に吸収されてしまうことを防止することのできる包装用容器を、簡単な構成によって提供する」ことを目的としてなされたもので、図９に示すように、「上方からのものを支持する支持部１２を有した容器本体１０と、支
持部上に係止部によって支持されて、底部に通孔を形成した中容器２０と、容器本体または中容器側に係止される蓋体３０とを備える」ものであり、要約にも記載されているように、「容器本体の底面２１のコーナー部に脚部を膨出形成するとともに、容器本体の底面２１の中央部分を僅かに下方へ膨出させた」ものである。この特許文献１で提案した「３点式容器」は、収納物を別々に区画して収納するものではないが、「作り立ての収納物自体から滴り出した油や液汁」を中容器２０の下方に落とし込むようにするものである。
【０００６】
特許文献２にて提案されている３点式容器である「麺容器」は、図１０にも示すように、「具材を入れるための無発泡の合成樹脂シートから成形した中容器と、調理済麺を入れるための発泡または無発泡の合成樹脂シートから成形した断熱性の高い外容器からなる食品包装用容器において、該中容器の底面の一部がスープ袋を収納できる一段と深い凹部に成形され、該凹部の底面が中容器の他の部分の底面より低くなっていて、麺を温めるために注いだ湯に、該凹部が浸されるようになっていること」を特徴とするものである。
【０００７】
この特許文献２の「麺容器」は、当該文献２の段落０００４〜０００５に記載されているように、「麺を温める湯でスープを積極的に温める（当該特許文献２がいう従来技術の）麺容器は、中容器の一部を切り取り、この切り取った穴にカップを嵌め、そのカップの中にスープを収納してカップの上縁をフィルム等でシールしておき、そのカップの下方を、麺を温めるために入れた湯の中に浸漬するようにしておいて、この湯の熱により中に収納したスープを温め、次に麺を温めた湯を捨てて、新たに麺の入った外容器に湯を注ぎ、ついで温まったスープを入れる方式である。上記方式の麺容器は、…スープ製造業者においてスープ充填後にシールを行ったり、専用のカップを用いて行わなければならない等、スープを袋に入れて収納する方式と比べて、製作工程が煩瑣になると共に製作コストも上昇することが避けられない。一方、…衛生管理上や衛生観念上好ましくない」といった経緯に基づいてなされたものであり、上記のようにした結果、「特別な設備を追加する必要がなく経済的で、かつ簡便にスープを温めることができ、喫食に際しスープを混合したときの湯の温度低下を効果的に防止する湯かけ麺用の麺容器を提供すること」ができたものである。
【０００８】
また、特許文献３には、図１１に示すように、「合成樹脂材料にて成形され、少なくとも下容器、中容器及び蓋を有する包装用容器であって、下容器の口縁に係止部を設け、この係止部に係止可能な凸部を、蓋の口縁に形成した垂下部分に設けており、中容器には、口縁端部を上記蓋の垂下部分に係止可能な構造を設けていることを特徴とする包装用容器」が提案されているのであるが、この「包装用容器」は、「下容器、中容器、蓋からなる包装用容器において、下容器から中容器を取外し易くしており、また、中容器を安定良く支持することができる包装用容器を提供することを目的」として、上記のような構成のものとして提案されたのである。
【０００９】
要するに、従来より特許文献１〜３等において提案されている「３点式容器」は、
・作り立ての収納物（食品）自体から滴り出した油や液汁が再び収納物に吸収されてしまうことを防止する（特許文献１）
・特別な設備を追加する必要がなく経済的で、かつ簡便にスープを温めることができ、喫食に際しスープを混合したときの湯の温度低下を効果的に防止する（特許文献２）
・下容器（以下で言う容器本体）から中容器を取外し易くしており、また、中容器を安定良く支持することができる（特許文献３）
ことをそれぞれ目指しているのであるが、その基本思想は、やはり、収納空間を容器本体及び中容器によって区画することにより、収納物（食品）を個別に収納することである。
【００１０】
勿論、複数種類の収納物あるいは食品を、容器本体及び中容器によって区画した複数の部分に個別に収納することは、それはそれで意味のあることであるが、この種の「３点式
容器」について近年の消費者が望んでいることには次のような変化がある。
【００１１】
近年の消費者の望みは、合成樹脂シートからなる「３点式容器」についても、単なる「使い捨てイメージ」から、「少しでも豪華さを感じさせる食事を楽しみたい」あるいは「この容器は料理全体の豪華さが演出されているな、と感じたい」というように変化してきており、なおかつ、「リーズナブルなコストパフォーマンスがあるネ」という理由も必要としてきているのである。これに対して、上述した従来の「３点式容器」は、消費者が食する種々な食品を、隙間無くギッシリと詰めることができるという効率性はあるものの、豪華さに欠けるという嫌いがあったことは否めない。
【００１２】
換言すれば、消費者にとってみれば、所謂「コンビニ弁当」を買って帰る「中食」よりもやはり「外食」したいという思いがあり、かといって、外食で漆塗りの容器に入った「懐石料理」や「丼物」を食べるという程にお金を掛けたくない。容器の使用自体にお金を掛けるのは無駄であるし、容器自体が安っぽいのものであれば、豪華な食事というわけにはいかないからである。
【００１３】
なお、本発明者等の調査によると、店内で食される食品としては、次の表１に示すように、米飯を使用する「丼物」や「お重物」が好まれるようになってきている。この表１では、店内にて食される米飯商品を、「丼・重」（米飯を使用する丼物やお重物）、「弁当」、及び「その他」として、販売数をカウントして結果を％で表している。 
【表１】
0006796955.tif 000002
この表１から分かるように、米飯商品である「丼・重」は、２０１２年秋から２０１５年秋までの３年間で約９％上昇しており、同時期の「弁当」では、約１５％下降していて、近年「丼・重」が店内で食されるものとして人気が高まってきている。
【００１４】
一方で、そのような外食を作り販売する店側にとっては、その製造作業を容易に行うことができなければ、例え使い捨て容器としての「３点式容器」を採用したとしても、料理提供原価の低下をより強力に行うことはできない。食事時ともなれば、外食をしたい消費者が集中するから、短い時間内で料理が出せるようにしておかなければならないからである。
【００１５】
そこで、本発明者等は、合成樹脂シートを材料として成形した「３点式容器」であっても、ある程度豪華な食事として楽しむことができ、食器にはお金は掛かっていないなと消費者がリーズナブル性に納得でき、「中食」にはない良い雰囲気で外食を楽しむことのできる容器とするにはどうしたらよいか、について種々検討を重ねてきた結果、本発明を完成したのである。
【００１６】
すなわち、本発明の目的とするところは、合成樹脂シートを材料として安価に提供でき、使い捨てもできる「３点式容器」であって、店内にてある程度豪華な食事として楽しむことができる、中容器を備えた包装用容器を提供することにある。
【課題を解決するための手段】
【００１７】
以上の課題を解決するために、まず、請求項１に係る発明の採った手段は、後述する最良形態の説明中で使用する符号を付して説明すると、
「底面１１から立ち上がる側面１２の上端縁にフランジ部１３を有するとともに、側面１２の上部に段部１４を形成した容器本体１０と、段部１４上に係合される係合片２３ａを有して、容器本体１０内に全体が収納される中容器２０と、容器本体１０のフランジ部１３の外端１２ａに係合される係合部３１を有した蓋体３０と、からなる包装用容器１００であって、
容器本体１０の底面１１に、これからそれぞれ独立して盛り上がる複数の上げ底部１５とするとともに、中容器２０の底面２１周縁に沿って下方に膨出した膨出脚部２１ａとを備えて、
中容器２０の膨出脚部２１ａが、容器本体１０の各上げ底部１５の何れかの外側面に当接し得るようにし、
複数の上げ底部１５は、中容器２０の中心線に対して線対称位置に形成され、
複数の上げ底部１５の上面に、容器本体１０内に収納された中容器２０の底面２１が当接すると共に、中容器２０の底面２１と、上げ底部１５と、容器本体１０の底面１１とで囲まれた隙間が形成されることを特徴とする包装用容器１００」
である。
【００１８】
本発明に係る包装用容器１００は、上述してきたような「３点式容器」であるから、底面１１から立ち上がる側面１２の上端縁にフランジ部１３を有するとともに、側面１２の上部に段部１４を形成した容器本体１０と、段部１４上に係合される係合片２３ａを有して、容器本体１０内に全体が収納される中容器２０と、容器本体１０のフランジ部１３の外端１２ａに係合される係合部３１を有した蓋体３０と、からなることを基本構成とするものである。
【００１９】
この包装用容器１００を構成している３点、すなわち、容器本体１０、中容器２０、及び蓋体３０は、合成樹脂シートに対して「圧空」または「真空」を利用したシート成形される安価なものであり、使い捨てされるものである。なお、この包装用容器１００は、店舗のバックヤードにおいて、容器本体１０内に収納した中容器２０にご飯物を詰めた後、蓋体３０が嵌合されるものであるが、これらの作業は「手作業」によってなされる。
【００２０】
容器本体１０は、その底面１１に、これからそれぞれ独立して盛り上がるべく分割された複数の上げ底部１５となっていて、上げ底部１５自体の面積が小さく潰れにくくなっているため剛性がある。分割された複数の上げ底部１５とは、均等に分割されたものだけではなく、不均等に分割されたものも指している。また、容器本体１０の底面は、複数の上げ底部を跨る平坦面となっているため、ラベルを貼るスペースも確保できる。
【００２１】
これらの各上げ底部１５は、図２に示すように、当該容器本体１０、またはこれに収納されることになる中容器２０の中心線に対して線対称位置に形成したものであり、中容器２０を当該容器本体１０内に収納するにあたって、左右を変更しても、各上げ底部１５の上面には、常に中容器２０の底面２１の大部分が当接して、左右のバランスを崩すこと無く安定した状態で収納されている。
【００２２】
中容器２０は、容器本体１０の段部１４上に係合される係合片２３ａを有して、容器本体１０内に全体が収納されるものである。この中容器２０の全体が容器本体１０内に収納されるようにしたのは、この中容器２０が実質的な「丼物」あるいは「お重」容器となるようにするためであり、容器本体１０そのものは、中容器２０の中身を豪華に見せるためと、及び中身の保温を行うために使用するのである。この保温は、当該中容器２０と容器本体１０との間に形成される空気層によってなされる。
【００２３】
換言すれば、この中容器２０は、中身を区画するために使用するものではなく、また、中身にあった「漬け物」や「ツマ」、あるいは「調味料」を収納するための小部屋を付けることはあっても、大部分を「ご飯もの」が多く収納できるようにするものである。このようにすることによって、上記表１で示したように、近年「ご飯もの」を外食する要望が
増えてきていることに応えようとするものである。
【００２４】
この中容器２０においては、図２、図４、図５の（ｂ）、及び図７に示すように、その底面２１周縁に沿って下方に膨出した膨出脚部２１ａを備えていて、この膨出脚部２１ａは、特に図８に示すように、容器本体１０側の上げ底部１５の何れかの外側面に当接するため、容器本体１０と中容器２０とが不用意にずれたり分離することがない。このとき、容器本体１０側の各上げ底部１５は、図２に示すように、当該容器本体１０、またはこれに収納されることになる中容器２０の中心線に対して線対称位置に形成したものであるから、中容器２０を当該容器本体１０内に収納するにあたって、左右を変更しても、各上げ底部１５の上面には、常に中容器２０の底面２１の大部分が当接していて、左右のバランスを崩すこと無く安定した状態で収納されている。
【００２５】
以上の結果、容器本体１０内に収納される中容器２０は、左右を逆にしても、常に中容器２０の底面２１の大部分が各上げ底部１５の上面に当接している。そして、中容器２０側の膨出脚部２１ａは、容器本体１０の各上げ底部１５の何れかの外側に当接し、中容器２０のフランジ部２３に形成してある係合片２３ａが容器本体１０側の段部１４に係合するから、当該中容器２０は、容器本体１０に対して不用意にずれたり分離することなく安定した状態で収納されている。勿論、容器本体１０の底面１１と、中容器２０の底面２１との間には、図８に示すように、ある程度の隙間が形成されるから、この隙間内の空気によって当該包装用容器１００の保温がなされることになる。
【００２６】
そして、この包装用容器１００は、近年人気が高くなってきているご飯物やお重物を、図１に示すように、容器本体１０と略同じ容積を有する中容器２０に詰めることができ、そのボリューム感を容器本体１０で表現できるし、これらの容器本体１０及び中容器２０を色違いにしたり、容器本体１０の側面１２に図２及び図３に示すように、模様４０を形成すれば、店内にて豪華な食事を楽しむことができるものとなっているのである。
【００２７】
従って、この請求項１の包装用容器１００は、合成樹脂シートを材料として安価に提供でき、使い捨てもできる「３点式容器」であって、店内にてある程度豪華な食事を楽しめるものとなっているのである。
【００２８】
また、以上の課題を解決するために、請求項２に係る発明の採った手段は、上記請求項１に記載の包装用容器１００について、
「中容器２０の膨出脚部２１ａの内側に、容器本体１０側の上げ底部１５の何れかの外側面に当接し得る膨出突起２１ｂを備えたこと」
である。
【００２９】
この請求項２の包装用容器１００では、図２、図５の（ｂ）、及び図７に示すように、中容器２０の底面２１に膨出突起２１ｂを備えて、この膨出突起２１ｂが容器本体１０側の上げ底部１５の何れかの外側面に当接し得るようにしたものである。
【００３０】
この膨出突起２１ｂは、後述する実施形態での説明、及び図５の（ｂ）にも示すように、上述した膨出脚部２１ａの近傍（内接位置）に形成するとよい。何故なら、中容器２０の底面２１周縁に形成した膨出脚部２１ａは、容器本体１０の各上げ底部１５の外側に位置する底面１１内面に当接し得るようにしたものであるから、膨出突起２１ｂを膨出脚部２１ａの近傍に形成すれば、容器本体１０側の上げ底部１５の何れかの外側面に当接させ易くなるからであり、当該膨出突起２１ｂ自体の型成形も容易となるからである。なお、膨出突起２１ｂは、容器本体１０の上げ底部１５の外側面に備えて、中容器２０の膨出脚部２１ａの内側に当接しても良い。
【００３１】
また、これら各膨出突起２１ｂは、図７にも示すように、中容器２０を容器本体１０内に収納した場合の、中容器２０の容器本体１０に対する位置決めを果たすだけでなく、位置決めした結果、容器本体１０側の各上げ底部１５側面と中容器２０側の膨出脚部２１ａとの間に空間を形成するから、断熱性確保のための空間形成を積極的に行うことになる。
【００３２】
従って、この請求項２に係る包装用容器１００は、上記請求項１のそれと同様な機能を発揮する他、容器本体１０側の上げ底部１５の何れかの外側面に当接し得る膨出突起２１ｂを形成した結果、中容器２０の容器本体１０に対する位置決めをしっかりと行え、断熱効果も確実にし得るものとなっているのである。
【００３３】
さらに、上記課題を解決するために、請求項３に係る発明の採った手段は、上記請求項１または請求項２に記載の包装用容器１００について、
「容器本体１０のフランジ部１３の一部を下方に湾曲させて臨み窓１６を備えて、当該容器本体１０内に中容器２０を収納したとき、臨み窓１６から当該中容器２０の一部が外方に臨み得るようにしたこと」
である。
【００３４】
この請求項３に係る包装用容器１００では、図１、図３、及び図６の（ｃ）に示すように、容器本体１０のフランジ部１３の一部を下方に湾曲させて臨み窓１６を備えたものである。この臨み窓１６は、当該容器本体１０内に中容器２０を収納したとき、図１及び図３にも示すように、中容器２０の一部が外方に臨み得るようするものである。
【００３５】
この臨み窓１６は、容器本体１０とは色違いで成形した中容器２０の一部を、当該包装用容器１００の外側から見えるようにするものであり、例えば黒色の容器本体１０の臨み窓１６から、赤色の中容器２０の一部を臨ませることにより、包装用容器１００全体として豪華な印象を与えるようにするものである。勿論、この臨み窓１６から臨む中容器２０の一部に模様を付す等しておいても、豪華さを演出することができることになる。
【００３６】
従って、この請求項３に係る包装用容器１００は、上記請求項１または２のそれと同様な機能を発揮する他、容器本体１０の臨み窓１６から中容器２０の一部を臨ませることにより、当該包装用容器１００の豪華さを演出し得るものとなっているのである。
【発明の効果】
【００３７】
以上、説明した通り、本発明は、
「底面１１から立ち上がる側面１２の上端縁にフランジ部１３を有するとともに、側面１２の上部に段部１４を形成した容器本体１０と、段部１４上に係合される係合片２３ａを有して、容器本体１０内に全体が収納される中容器２０と、容器本体１０のフランジ部１３の外端１２ａに係合される係合部３１を有した蓋体３０と、からなる包装用容器１００であって、
容器本体１０の底面１１に、これからそれぞれ独立して盛り上がる複数の上げ底部１５とするとともに、中容器２０の底面２１周縁に沿って下方に膨出した膨出脚部２１ａとを備えて、
中容器２０の膨出脚部２１ａが、容器本体１０の各上げ底部１５の何れかの外側面に当接し得るようにし、
複数の上げ底部１５は、中容器２０の中心線に対して線対称位置に形成され、
複数の上げ底部１５の上面に、容器本体１０内に収納された中容器２０の底面２１が当接すると共に、中容器２０の底面２１と、上げ底部１５と、容器本体１０の底面１１とで囲まれた隙間が形成されること」
にその構成上の主たる特徴があり、これにより、合成樹脂シートを材料として安価に提供でき、使い捨てもできる「３点式容器」であって、店内にてある程度豪華な食事として楽しむことができる、中容器２０を備えた包装用容器１００を提供することができるのである。
【図面の簡単な説明】
【００３８】
【図１】本発明に係る包装用容器１００の中容器２０にご飯物を詰めて、蓋体３０を外した状態の斜視図である。
【図２】同包装用容器１００を示すもので、実線の容器本体１０と、点線の中容器２０と、二点鎖線の蓋体３０とを組み合わせた状態の平面図である。
【図３】同包装用容器１００の側面図である。
【図４】実線の容器本体１０と、点線の中容器２０と、二点鎖線の蓋体３０とを組み合わせからなる同包装用容器１００を示すもので、（ａ）は長辺側側面図、（ｂ）は短辺側側面図である。
【図５】同包装用容器１００を構成する各部材を示すもので、（ａ）は蓋体３０の平面図、（ｂ）は中容器２０の平面図、（ｃ）は容器本体１０の平面図である。
【図６】同包装用容器１００を構成する各部材を示すもので、（ａ）は蓋体３０の長辺側側面図、（ｂ）は中容器２０の長辺側側面図、（ｃ）は容器本体１０の長辺側側面図である。
【図７】同包装用容器１００を構成する容器本体１０内に中容器２０を収納した状態を示す拡大平面図である。
【図８】同包装用容器１００を構成する容器本体１０内に中容器２０を収納した状態を示すもので、（ａ）は長辺側側面図、（ｂ）は短辺側側面図である。
【図９】特許文献１にて提案されている容器を示す側面図である。
【図１０】特許文献２にて提案されている容器を示す縦断面図である。
【図１１】特許文献３にて提案されている容器を示す部分縦断面図である。
【発明を実施するための形態】
【００３９】
次に、以上のように構成した各請求項に係る発明を、図面に示した実施の形態である包装用容器１００について説明すると、図１には、ご飯物を詰めた中容器２０を容器本体１０内に収納して、蓋体３０を外したときの様子が示してある。つまり、本発明に係る包装用容器１００は、容器本体１０と、この容器本体１０内に収納される中容器２０と、容器本体１０のフランジ部１３の外端１３ａに係合される蓋体３０とからなる、「３点式容器」である。
【００４０】
この包装用容器１００の、容器本体１０、中容器２０、及び蓋体３０は、合成樹脂シートに対して「圧空」または「真空」を利用したシート成形される安価なものであり、包装用容器１００を使い捨て可能とするものである。この包装用容器１００は、容器本体１０、中容器２０、及び蓋体３０のそれぞれを個別かつ多数積み重ねておいて、店舗のバックヤードにおいて、手作業によって、個別にご飯物を詰めた中容器２０を容器本体１０内に収納した後、蓋体３０が嵌合されるものである。
【００４１】
容器本体１０は、図５の（ｃ）にも示したように、底面１１と、この底面１１の周囲から立ち上がる側面１２と、この側面１２の外周縁に形成したフランジ部１３を備えているものであり、側面１２の上部には、後述する中容器２０側の係合片２３ａが係合される段部１４を形成したものである。
【００４２】
また、この容器本体１０の底面１１には、図２、及び図５の（ｃ）にも示したように、これからそれぞれ独立して盛り上がる分割された複数の上げ底部１５を備えていて、上げ底部１５自体の面積が小さく潰れにくくなっているため剛性がある。また、容器本体１０の底面は、複数の上げ底部を跨る平坦面となっているため、ラベルを貼るスペースも確保できる。これらの各上げ底部１５は、図２に示すように、当該容器本体１０、またはこれに収納されることになる中容器２０の中心線に対して線対称位置に形成したものであり、中容器２０を当該容器本体１０内に収納するにあたって、左右を変更しても、各上げ底部１５の上面には、常に中容器２０の底面２１の大部分が当接し得るようにしてあって、左右のバランスを崩すこと無く安定した状態で収納されている。
【００４３】
そして、本実施形態に係る包装用容器１００では、図１、図３、及び図６の（ｃ）に示したように、容器本体１０のフランジ部１３の一部を下方に湾曲させて臨み窓１６が形成してある。この臨み窓１６は、当該容器本体１０内に中容器２０を収納したとき、図１及び図３にも示したように、中容器２０の一部が外方に臨み得るようするものである。
【００４４】
この臨み窓１６は、容器本体１０とは色違いで成形した中容器２０の一部を、当該包装用容器１００の外側から見えるようにするものであり、例えば黒色の容器本体１０の臨み窓１６から、赤色の中容器２０の一部を臨ませることにより、包装用容器１００全体として豪華な印象を与えるようにするものである。勿論、この臨み窓１６から臨む中容器２０の一部に模様を付す等しておいても、豪華さを演出することができることになる。
【００４５】
そして、この容器本体１０の底面１１には、図１、図３、図４、及び図６の（ｃ）にも示したように、底面１１の一部をさらに下方に膨出させることにより、底面１１から下方に突出する膨出脚部１７が形成してある。この膨出脚部１７は、テーブル上に置いた包装用容器１００の水平状態を確保するものであることは勿論、当該膨出脚部１７以外の部分の底面１１が直接テーブルに接触しないようにするものである。これにより、テーブル面と底面１１の下面間に空気層を形成して、この空気層による断熱効果を高めるようにしている。
【００４６】
なお、本実施例の包装用容器１００においては、例えば図６の（ｃ）に示したように、容器本体１０の側面１２の一部に模様４０を形成して、この模様４０によって包装用容器１００の豪華さを演出するようにしている。
【００４７】
中容器２０は、底面２１と、これから立ち上がる側壁２２と、この側壁２２の周縁に形成したフランジ部２３とを備えることは、上記容器本体１０と同じような一般的な形状を有するものであるが、このフランジ部２３の外端にある係合片２３ａが、容器本体１０の段部１４上に係合されて、容器本体１０内に全体が収納されるものである。この中容器２０の全体が容器本体１０内に収納されるようにしたのは、この中容器２０が実質的な「丼物」あるいは「お重」容器となるようにするためであり、容器本体１０そのものは、中容器２０の中身を豪華に見せるためと、及び中身の保温を行うために使用するのである。この保温は、当該中容器２０と容器本体１０との間に形成される空気層によってなされる。
【００４８】
換言すれば、この中容器２０は、中身を区画するために使用するものではなく、また、中身にあった「漬け物」や「ツマ」、あるいは「調味料」を収納するための小部屋を付けることはあっても、大部分を「ご飯もの」が多く収納できるようにするものである。このようにすることによって、上記表１で示したように、近年「ご飯もの」を外食する要望が増えてきていることに応えようとするものである。
【００４９】
この中容器２０においては、図２、図４、図５の（ｂ）、及び図７に示したように、その底面２１周縁に膨出脚部２１ａが形成してあり、この膨出脚部２１ａは、特に図８に示すように、容器本体１０の、各上げ底部１５の外側に位置する底面１１内面に当接する。このとき、容器本体１０側の各上げ底部１５は、図２に示すように、当該容器本体１０、またはこれに収納されることになる中容器２０の中心線に対して線対称位置に形成したものであるから、中容器２０を当該容器本体１０内に収納するにあたって、左右を変更しても、各上げ底部１５の上面には、常に中容器２０の底面２１の大部分が当接している。
【００５０】
以上の結果、容器本体１０内に収納される中容器２０は、左右を逆にしても、常に中容器２０の底面２１の大部分が各上げ底部１５の上面に当接している。そして、中容器２０側の膨出脚部２１ａは、容器本体１０の、各上げ底部１５の外側に位置する底面１１内面
に当接し、中容器２０のフランジ部２３に形成してある係合片２３ａが容器本体１０側の段部１４に係合するから、当該中容器２０は、容器本体１０に対して不用意にずれたり分離すること無く安定した状態で収納されている。勿論、容器本体１０の底面１１と、中容器２０の底面２１との間には、図８に示すように、ある程度の隙間が形成されるから、この隙間内の空気によって当該包装用容器１００の保温がなされることになる。
【００５１】
そして、この包装用容器１００は、近年人気が高くなってきているご飯物やお重物を、図１に示したように、容器本体１０と略同じ容積を有する中容器２０に詰めることができ、そのボリュウーム感を容器本体１０で表現できるし、これらの容器本体１０及び中容器２０を色違いにしたり、容器本体１０の側面１２に図２及び図３に示したように、模様４０を形成すれば、店内にて豪華な食事を楽しむことができる。
【００５２】
さらに、本実施形態の包装用容器１００において、当該中容器２０の底面２１に、容器本体１０側の上げ底部１５の何れかの外側面に当接し得る膨出突起２１ｂが形成してあり、この膨出突起２１ｂが容器本体１０側の上げ底部１５の何れかの外側面に当接し得るようにしたものである。
【００５３】
この膨出突起２１ｂは、図５の（ｂ）にも示したように、膨出脚部２１ａの近傍（内接位置）に形成するとよい。何故なら、中容器２０の底面２１周縁に形成した膨出脚部２１ａは、容器本体１０の各上げ底部１５の外側に位置する底面１１内面に当接し得るようにしたものであるから、膨出突起２１ｂを膨出脚部２１ａの近傍に形成すれば、容器本体１０側の上げ底部１５の何れかの外側面に当接させ易くなるからであり、当該膨出突起２１ｂ自体の型成形も容易となるからである。
【００５４】
また、これら各膨出突起２１ｂは、図７にも示したように、中容器２０を容器本体１０内に収納した場合の、中容器２０の容器本体１０に対する位置決めを果たすだけでなく、位置決めした結果、容器本体１０側の各上げ底部１５側面と中容器２０側の膨出脚部２１ａとの間に空間を形成するから、断熱性確保のための空間形成を積極的に行うことになる。
【００５５】
本実施形態に係る蓋体３０は、透明な合成樹脂シートからシート成形したものであり、その外周には、容器本体１０側のフランジ部１３の外端１３ａに係合することになる係合部３１が形成してあり、この係合部３１を、中容器２０を収納した容器本体１０の外端１３ａに係合させれば、例えば図１に参考として示すように、中容器２０内のご飯物を外部から容易に視認することができる。勿論、この蓋体３０は、中身を保護するものであることは言うまでも無い。
【符号の説明】
【００５６】
１００    包装用容器
１０    容器本体
１１    底面
１２    側面
１３    フランジ部
１３ａ  外端
１４    段部
１５    上げ底部
１６    臨み窓
１７    膨出脚部
２０    中容器
２１    底面
２１ａ  膨出脚部
２１ｂ  膨出突起
２２    側壁
２３    フランジ部
２３ａ  係合片
３０    蓋体
３１    係合部
４０    模様
【図１】
0006796955.tif 000003
【図２】
0006796955.tif 000004
【図３】
0006796955.tif 000005
【図４】
0006796955.tif 000006
【図５】
0006796955.tif 000007
【図６】
0006796955.tif 000008
【図７】
0006796955.tif 000009
【図８】
0006796955.tif 000010
【図９】
0006796955.tif 000011
【図１０】
0006796955.tif 000012
【図１１】
0006796955.tif 000013